(57)【要約】【課題】複数の機能液滴吐出ヘッドから成るヘッドユニットを回転補正するための角度補正データを高精度に得る。【解決手段】アライメント用吐出パターンデータにより、検査用ワークの検査領域Ｗ対し、少なくとも２個の機能液滴吐出ヘッドから検査用機能液滴をそれぞれ着弾させる検査用着弾工程と、各検査用機能液滴の着弾位置を画像認識する着弾位置認識工程と、アライメント用吐出パターンデータと、着弾位置認識工程において画像認識した着弾位置の画像認識データとを比較して、各検査用機能液滴の着弾誤差を取得する着弾誤差取得工程と、着弾誤差取得工程において取得した着弾誤差に基づいて、ヘッドユニットをθ軸方向に回転補正する角度補正データを生成する角度補正データ生成工程と、を備えた。【選択図】図６
2007130571.tif 000002
【特許請求の範囲】
【請求項１】
複数の機能液滴吐出ヘッドから成るヘッドユニットをθ軸方向に回転可能に搭載し、ワークに対し、描画吐出パターンデータにより前記複数の機能液滴吐出ヘッドから機能液を吐出して描画処理を行う液滴吐出装置の液滴着弾位置補正方法であって、
アライメント用吐出パターンデータにより、検査用ワークの検査領域に対し、少なくとも２個の前記機能液滴吐出ヘッドから第１検査用機能液滴をそれぞれ着弾させる第１検査用着弾工程と、
前記各第１検査用機能液滴の着弾位置を画像認識する第１着弾位置認識工程と、
前記アライメント用吐出パターンデータと、前記第１着弾位置認識工程において画像認識した前記着弾位置の画像認識データとを比較して、前記各第１検査用機能液滴の着弾誤差を取得する第１着弾誤差取得工程と、
前記第１着弾誤差取得工程において取得した前記着弾誤差に基づいて、前記ヘッドユニットをθ軸方向に回転補正する角度補正データを生成する角度補正データ生成工程と、
を備えたことを特徴とする液滴吐出装置の液滴着弾位置補正方法。
【請求項２】
前記第１検査用着弾工程において、前記各機能液滴吐出ヘッドから２以上の前記第１検査用機能液滴を着弾させ、
前記角度補正データ生成工程における前記角度補正データの生成は、前記各機能液滴吐出ヘッドからの前記２以上の第１検査用機能液滴の前記着弾誤差を平均したものに基づいて行われることを特徴とする請求項１に記載の液滴吐出装置の液滴着弾位置補正方法。
【請求項３】
アライメントマスク上に形成した基準マークを画像認識して、前記アライメント用吐出パターンデータを生成するデータ生成工程を、さらに備え、
前記第１検査用着弾工程において、前記検査領域を有する前記ワークを前記検査用ワークとして、前記第１検査用機能液滴を着弾させることを特徴とする請求項１または２に記載の液滴吐出装置の液滴着弾位置補正方法。
【請求項４】
前記第１検査用着弾工程において、前記検査領域を有する前記アライメントマスクを前記検査用ワークとして、前記第１検査用機能液滴を吐出し、
前記第１着弾位置認識工程における前記各第１検査用機能液滴の画像認識と並行して、前記アライメントマスク上に形成した前記基準マークを画像認識して、前記アライメント用吐出パターンデータを生成するデータ生成工程を、さらに備えたことを特徴とする請求項１または２に記載の液滴吐出装置の液滴着弾位置補正方法。
【請求項５】
前記描画処理は、前記複数の機能液滴吐出ヘッドをＸ軸方向に相対的に移動させながら行われ、
前記ヘッドユニットは、Ｙ軸方向に移動可能に構成されており、
取得した前記着弾誤差に前記角度補正データを加味して、前記ヘッドユニットをＹ軸方向に移動補正するＹ軸移動補正データを生成し、且つ、Ｘ軸方向における前記ヘッドユニットの相対位置を補正するように前記描画用吐出パターンデータをデータ補正するＸＹ補正工程を、さらに備えたことを特徴とする請求項１ないし４のいずれかに記載の液滴吐出装置の液滴着弾位置補正方法。
【請求項６】
前記描画処理は、前記複数の機能液滴吐出ヘッドをＸ軸方向に相対的に移動させながら行われ、
前記ヘッドユニットは、Ｙ軸方向に移動可能に構成されており、
前記角度補正データに基づいて、前記ヘッドユニットを回転補正する回転補正工程と、
前記回転補正工程の後、前記アライメント用吐出パターンデータにより、前記検査領域に対し、前記機能液滴吐出ヘッドから第２検査用機能液滴を着弾させる第２検査用着弾工程と、
前記第２検査用機能液滴の着弾位置を画像認識する第２着弾位置認識工程と、
前記アライメント用吐出パターンデータと、前記第２着弾位置認識工程において画像認識した前記着弾位置の画像認識データとを比較して、前記第２検査用機能液滴の着弾誤差を取得する第２着弾誤差取得工程と、
前記第２着弾誤差取得工程において取得した前記着弾誤差に基づいて、前記ヘッドユニットをＹ軸方向に移動補正するＹ軸移動補正データを生成し、且つ、Ｘ軸方向における前記ヘッドユニットの相対位置を補正するように前記描画用吐出パターンデータをデータ補正するＸＹ補正工程と、
をさらに備えたことを特徴とする請求項１ないし４のいずれかに記載の液滴吐出装置の液滴着弾位置補正方法。
【請求項７】
複数の前記ヘッドユニットをθ軸方向に個別に回転可能に搭載し、
前記第１検査用着弾工程における前記第１検査用機能液滴の着弾、前記第１着弾位置認識工程における前記着弾位置の画像認識、前記第１着弾誤差取得工程における前記着弾誤差の取得、および前記角度補正データ生成工程における前記角度補正データの生成を、前記ヘッドユニット単位で行うことを特徴とする請求項１ないし４のいずれかに記載の液滴吐出装置の液滴着弾位置補正方法。
【請求項８】
複数の機能液滴吐出ヘッドから成るヘッドユニットと、
ワークをセットするセットテーブルと、
前記ヘッドユニットをθ軸方向に回転させるθ軸回転手段と、
所定の吐出パターンデータに基づいて、前記複数の機能液滴吐出ヘッドから機能液を吐出させるヘッド駆動手段と、
前記ヘッド駆動手段を制御して、描画吐出パターンデータにより、前記セットテーブルにセットした前記ワークに対し、前記複数の機能液滴吐出ヘッドから機能液を吐出して描画処理を行わせると共に、アライメント用吐出パターンデータにより、前記セットテーブルにセットした検査用ワークの検査領域に対し、少なくとも２個の前記機能液滴吐出ヘッドから検査用機能液滴をそれぞれ着弾させる制御手段と、
前記検査用機能液滴の着弾位置を画像認識する画像認識手段と、
前記アライメント用吐出パターンデータと、前記着弾位置の画像認識データとを比較して、前記各検査用機能液滴の着弾誤差を取得する着弾誤差取得手段と、
取得された前記着弾誤差に基づいて、前記θ軸回転手段により前記ヘッドユニットをθ軸方向に回転補正するための角度補正データを生成する角度補正データ生成手段と、
を備えたことを特徴とする液滴吐出装置。
【請求項９】
請求項１ないし７のいずれかに記載の液滴吐出装置の液滴着弾位置補正方法を実施する液滴吐出装置を用い、前記ワーク上に機能液による成膜部を形成することを特徴とする電気光学装置の製造方法。
【請求項１０】
請求項１ないし７のいずれかに記載の液滴吐出装置の液滴着弾位置補正方法を実施する液滴吐出装置を用い、前記ワーク上に機能液による成膜部を形成したことを特徴とする電気光学装置。
【請求項１１】
請求項９に記載の電気光学装置の製造方法により製造した電気光学装置または請求項１０に記載の電気光学装置を、搭載したことを特徴とする電子機器。
【発明の詳細な説明】
【技術分野】
【０００１】
本発明は、ワークに対し、複数の機能液滴吐出ヘッドにより機能液を吐出して描画処理を行う液滴吐出装置の液滴着弾位置補正方法、液滴吐出装置、並びに電気光学装置の製造方法、電気光学装置および電子機器に関するものである。
【背景技術】
【０００２】
従来、インクジェット方式の機能液滴吐出ヘッドを搭載し、ワークに対して吐出パターンデータに基づいて描画処理を行う液滴吐出装置において、機能液滴吐出ヘッドのθ軸方向における角度ずれ（組立て誤差等）に起因する液滴着弾位置のずれを補正すべく、アライメント用吐出パターンデータに基づいて、機能液滴吐出ヘッドのノズル列の２つのノズルを用いて、基準マークを有するアライメントマスク上の検査エリアに２つの検査用ドット（検査用機能液滴）を着弾させ、基準マークに対する各検査用ドットの着弾誤差の画像認識結果に基づいて、角度補正データを生成して、機能液滴吐出ヘッドをθ軸方向に回転補正する液滴着弾位置補正方法が知られている（例えば、特許文献１参照）。
【特許文献１】特開２００４−１４１７５８号公報
【発明の開示】
【発明が解決しようとする課題】
【０００３】
しかしながら、従来の液滴着弾位置補正方法では、単一の機能液滴吐出ヘッドのノズル列のうちの２つのノズルからそれぞれ着弾した２つの検査用ドットを着弾位置認識に用いるため、２つの検査用ドットが十分に離間していない。このため、ノズルの吐出特性等に起因して着弾位置がずれた場合には、２つの着弾位置を結ぶ線が所定の方向に対して為す角度が、大きく変わることとなり、角度補正データを高精度に生成ことができなかった。したがって、得られた角度補正データによって回転補正を行ったとしても、θ軸方向における液滴着弾位置を適切に補正することができなかった。
【０００４】
本発明は、複数の機能液滴吐出ヘッドから成るヘッドユニットを回転補正するための角度補正データを高精度に得ることができる液滴吐出装置の液滴着弾位置補正方法、液滴吐出装置、並びに電気光学装置の製造方法、電気光学装置および電子機器を提供することを目的とする。
【課題を解決するための手段】
【０００５】
本発明の液滴吐出装置の液滴着弾位置補正方法は、複数の機能液滴吐出ヘッドから成るヘッドユニットをθ軸方向に回転可能に搭載し、ワークに対し、描画吐出パターンデータにより複数の機能液滴吐出ヘッドから機能液を吐出して描画処理を行う液滴吐出装置の液滴着弾位置補正方法であって、アライメント用吐出パターンデータにより、検査用ワークの検査領域に対し、少なくとも２個の機能液滴吐出ヘッドから第１検査用機能液滴をそれぞれ着弾させる第１検査用着弾工程と、各第１検査用機能液滴の着弾位置を画像認識する第１着弾位置認識工程と、アライメント用吐出パターンデータと、第１着弾位置認識工程において画像認識した着弾位置の画像認識データとを比較して、各第１検査用機能液滴の着弾誤差を取得する第１着弾誤差取得工程と、第１着弾誤差取得工程において取得した着弾誤差に基づいて、ヘッドユニットをθ軸方向に回転補正する角度補正データを生成する角度補正データ生成工程と、を備えたことを特徴とする。
【０００６】
また、本発明の液滴吐出装置は、複数の機能液滴吐出ヘッドから成るヘッドユニットと、ワークをセットするセットテーブルと、ヘッドユニットをθ軸方向に回転させるθ軸回転手段と、所定の吐出パターンデータに基づいて、複数の機能液滴吐出ヘッドから機能液を吐出させるヘッド駆動手段と、ヘッド駆動手段を制御して、描画吐出パターンデータにより、セットテーブルにセットしたワークに対し、複数の機能液滴吐出ヘッドから機能液を吐出して描画処理を行わせると共に、アライメント用吐出パターンデータにより、セットテーブルにセットした検査用ワークの検査領域に対し、少なくとも２個の機能液滴吐出ヘッドから検査用機能液滴をそれぞれ着弾させる制御手段と、検査用機能液滴の着弾位置を画像認識する画像認識手段と、アライメント用吐出パターンデータと、着弾位置の画像認識データとを比較して、各検査用機能液滴の着弾誤差を取得する着弾誤差取得手段と、取得された着弾誤差に基づいて、θ軸回転手段によりヘッドユニットをθ軸方向に回転補正するための角度補正データを生成する角度補正データ生成手段と、を備えたことを特徴とする。
【０００７】
これらの構成によれば、ヘッドユニットの複数の機能液滴吐出ヘッドのうち、少なくとも２個の機能液滴吐出ヘッドから第１検査用機能液滴を着弾させることで、単一の機能液滴吐出ヘッドのノズル列のうちの２つのノズルから検査用機能液滴を着弾させる場合に比べて、第１検査用機能液滴を相互に十分に離間させることができる。このため、仮に、ノズルの吐出特性等に起因して着弾位置がずれたとしても、２つの着弾位置を結ぶ線が所定の方向に対して為す角度は、ほとんど変わらないものとなり、角度補正データを高精度に得ることができる。したがって、ヘッドユニットのθ軸方向における角度ずれを高精度に回転補正することができ、角度ずれに起因するθ軸方向の着弾位置ずれを適切に補正することができる。
なお、第１検査用機能液滴を着弾させる機能液滴吐出ヘッド同士は、極力相互に離間していることが好ましい。
【０００８】
上記の液滴吐出装置の液滴着弾位置補正方法において、第１検査用着弾工程において、各機能液滴吐出ヘッドから２以上の第１検査用機能液滴を着弾させ、角度補正データ生成工程における角度補正データの生成は、各機能液滴吐出ヘッドからの２以上の第１検査用機能液滴の着弾誤差を平均したものに基づいて行われることが好ましい。
【０００９】
この構成によれば、ノズルの吐出特性等による着弾位置ずれの影響をさらに少なくすることができ、角度補正データの精度をより向上させることができる。
【００１０】
これらの場合、アライメントマスク上に形成した基準マークを画像認識して、アライメント用吐出パターンデータを生成するデータ生成工程を、さらに備え、第１検査用着弾工程において、検査領域を有するワークを検査用ワークとして、第１検査用機能液滴を着弾させることが好ましい。
【００１１】
この構成によれば、アライメントマスクを用いることで、アライメント用吐出パターンデータを正確且つ容易に生成することができる。しかも、ワーク上の検査領域に第１検査用機能液滴を着弾させるため、アライメントマスクに第１検査用機能液滴を着弾させることがなく、アライメントマスクを洗浄する必要がない。このため、洗浄作業の手間を省くことができると共に、洗浄作業によるアライメントマスクの損傷を回避することができ、アライメントマスクを常に良好な状態に保つことができる。
【００１２】
またこれらの場合、第１検査用着弾工程において、検査領域を有するアライメントマスクを検査用ワークとして、第１検査用機能液滴を吐出し、第１着弾位置認識工程における各第１検査用機能液滴の画像認識と並行して、アライメントマスク上に形成した基準マークを画像認識して、アライメント用吐出パターンデータを生成するデータ生成工程を、さらに備えたことが好ましい。
【００１３】
この構成によれば、アライメントマスクを用いることで、アライメント用吐出パターンデータを正確且つ容易に生成することができる。しかも、アライメントマスク上の基準マークと第１検査用機能液滴とを並行して画像認識することで、アライメント用吐出パターンデータの生成を、第１検査用機能液滴の着弾位置の画像認識とを同時並行的に行うことができる。このため、着弾位置補正処理に要する時間を短縮することができる。
【００１４】
これらの場合、描画処理は、複数の機能液滴吐出ヘッドをＸ軸方向に相対的に移動させながら行われ、ヘッドユニットは、Ｙ軸方向に移動可能に構成されており、取得した着弾誤差に角度補正データを加味して、ヘッドユニットをＹ軸方向に移動補正するＹ軸移動補正データを生成し、且つ、Ｘ軸方向におけるヘッドユニットの相対位置を補正するように描画用吐出パターンデータをデータ補正するＸＹ補正工程を、さらに備えたことが好ましい。
【００１５】
この構成によれば、高精度に得られた角度補正データを加味して、Ｙ軸移動補正データの生成および描画用吐出パターンデータのデータ補正が行われる。このため、ヘッドユニットの角度ずれに加えて、Ｘ軸方向およびＹ軸方向におけるヘッドユニットの位置ずれ（機械的精度誤差や組立て精度誤差）を適切に補正することができ、位置ずれに起因するＸ軸方向およびＹ軸方向の着弾位置ずれを適切に補正することができる。
【００１６】
またこれらの場合、描画処理は、複数の機能液滴吐出ヘッドをＸ軸方向に相対的に移動させながら行われ、ヘッドユニットは、Ｙ軸方向に移動可能に構成されており、角度補正データに基づいて、ヘッドユニットを回転補正する回転補正工程と、回転補正工程の後、アライメント用吐出パターンデータにより、検査領域に対し、機能液滴吐出ヘッドから第２検査用機能液滴を着弾させる第２検査用着弾工程と、第２検査用機能液滴の着弾位置を画像認識する第２着弾位置認識工程と、アライメント用吐出パターンデータと、第２着弾位置認識工程において画像認識した着弾位置の画像認識データとを比較して、第２検査用機能液滴の着弾誤差を取得する第２着弾誤差取得工程と、第２着弾誤差取得工程において取得した着弾誤差に基づいて、ヘッドユニットをＹ軸方向に移動補正するＹ軸移動補正データを生成し、且つ、Ｘ軸方向におけるヘッドユニットの相対位置を補正するように描画用吐出パターンデータをデータ補正するＸＹ補正工程と、をさらに備えたことが好ましい。
【００１７】
この構成によれば、機能液滴吐出ヘッドからの第２検査用機能液滴の着弾位置は、高精度に得られた角度補正データを加味したものとなり、その第２検査用機能液滴の着弾誤差に基づいて、Ｙ軸移動補正データの生成および描画用吐出パターンデータのデータ補正が行われる。このため、この場合も、ヘッドユニットの角度ずれに加えて、Ｘ軸方向およびＹ軸方向におけるヘッドユニットの位置ずれを適切に補正することができる。
【００１８】
これらの場合、複数のヘッドユニットをθ軸方向に個別に回転可能に搭載し、第１検査用着弾工程における第１検査用機能液滴の着弾、第１着弾位置認識工程における着弾位置の画像認識、第１着弾誤差取得工程における着弾誤差の取得、および角度補正データ生成工程における角度補正データの生成を、ヘッドユニット単位で行うことが好ましい。
【００１９】
この構成によれば、複数のヘッドユニットを備えた液滴吐出装置において、ヘッドユニット単位で、角度補正データを高精度に得ることができる。このため、複数のヘッドユニットをそれぞれ適切に回転補正することができる。
【００２０】
本発明の電気光学装置の製造方法は、上記した液滴吐出装置の液滴着弾位置補正方法を実施する液滴吐出装置を用い、ワーク上に機能液による成膜部を形成することを特徴とする。
【００２１】
また、本発明の電気光学装置は、上記した液滴吐出装置の液滴着弾位置補正方法を実施する液滴吐出装置を用い、ワーク上に機能液による成膜部を形成したことを特徴とする。
【００２２】
これらの構成によれば、複数の機能液滴吐出ヘッドを搭載したヘッドユニットを回転補正するための角度補正データを高精度に得ることができる液滴着弾位置補正方法を実施することで、液滴着弾位置補正を適切に行うことができ、信頼性の高い電気光学装置を製造することができる。なお、電気光学装置（フラットパネルディスプレイ：ＦＰＤ）としては、カラーフィルタ、液晶表示装置、有機ＥＬ装置、ＰＤＰ装置、電子放出装置等が考えられる。なお、電子放出装置は、いわゆるＦＥＤ（Field Emission Display）やＳＥＤ（Surface-conduction Electron-Emitter Display）装置を含む概念である。さらに、電気光学装置としては、金属配線形成、レンズ形成、レジスト形成および光拡散体形成等を包含する装置が考えられる。
【００２３】
本発明の電子機器は、上記した電気光学装置の製造方法により製造した電気光学装置または上記した電気光学装置を搭載したことを特徴とする。
【００２４】
この場合、電子機器としては、いわゆるフラットパネルディスプレイを搭載した携帯電話、パーソナルコンピュータのほか、各種の電気製品がこれに該当する。
【発明を実施するための最良の形態】
【００２５】
以下、添付の図面を参照して、本発明に係る液滴吐出装置およびその液滴着弾位置補正方法について説明する。この液滴吐出装置は、フラットパネルディスプレイの製造ラインに組み込まれるものであり、インクジェットヘッドである機能液滴吐出ヘッドを用いた印刷技術（インクジェット法）により、液晶表示装置のカラーフィルタや有機ＥＬ装置の各画素となる発光素子等を形成するものである。そこで、まず、描画対象となる基板、および液滴着弾位置補正処理に用いられるアライメントマスクについて簡単に説明する。
【００２６】
図１に示す基板Ｗは、ガラス基板やシート状のポリイミド基材等で構成されており、平面視長方形状を有している。基板Ｗの外縁部は、描画処理の行われない非描画しろＷｎ（非描画領域）であり、非描画しろＷｎに囲まれた箇所が、描画処理の行われる実描画領域Ｗｄとなっている。
【００２７】
非描画しろＷｎ（基板Ｗの一方の長辺部分）には、後述する検査用機能液滴の着弾を受ける検査領域Ｗｃが設けられている。検査領域Ｗｃの表面は、着弾した機能液滴が濡れ拡がることを抑制すべく、撥水処理が施されている。また、基板Ｗの両長辺部分には、後述する基板アライメント動作において画像認識される一対の基板アライメントマークＷｍが形成されている。
【００２８】
一方、図示省略したが、アライメントマスクは、例えばガラス等により長方形に且つ厚手に形成されている。詳細は後述するが、アライメントマスクは、液滴吐出装置１の液滴着弾位置補正処理において、検査用機能液滴を吐出させるアライメント用吐出パターンデータを生成するために用いられるものであり、基板Ｗへの描画動作に先立って、液滴吐出装置１のセットテーブル２１（後述する）にセットされる。
【００２９】
アライメントマスクには、理想的な（設計上の）機能液滴の着弾位置を指標する複数の基準マークが列設され、また、両長辺部分には、一対のマスクアライメントマークが形成されている。
【００３０】
続いて、実施形態に係る液滴吐出装置１について説明する。図２に示すように、液滴吐出装置１は、機能液滴吐出ヘッド１７を搭載した描画装置２と、図示省略したメンテナンス装置とを備え、メンテナンス装置により機能液滴吐出ヘッド１７のメンテナンス処理（機能維持・回復）を行うと共に、描画装置２により基板Ｗ（ワーク）上に機能液を吐出させる描画動作を行うようにしている。また、この液滴吐出装置１には、各部を統括制御するコントローラ３（制御手段、図５参照）等が組み込まれている。
【００３１】
描画装置２は、Ｘ軸テーブル１２およびＸ軸テーブル１２に直交するＹ軸テーブル１３から成るＸＹ移動機構１１と、Ｙ軸テーブル１３に個々に移動自在に取り付けられた２個のキャリッジ１４と、各キャリッジ１４に垂設され、複数（４個）の機能液滴吐出ヘッド１７を装着したヘッドユニット１５（図３参照）と、基板Ｗ、ヘッドユニット１５や描画結果等を画像認識する画像認識手段１６とを備えている。
【００３２】
そして、Ｘ軸テーブル１２による基板Ｗの移動軌跡と、Ｙ軸テーブル１３によるキャリッジ１４の移動軌跡とが交わる領域が、描画処理を行う描画エリアとなり、また、Ｙ軸テーブル１３によるヘッドユニット１５の移動軌跡上のＸ軸テーブル１２から外側（図示右側）に外れた領域が、メンテナンスエリアとなっており、このメンテナンスエリアにメンテナンス装置の一部が設置されている。一方、Ｘ軸テーブル１２の手前側の領域は、液滴吐出装置１に対する基板Ｗの搬出入を行う基板搬出入エリアとなっている。
【００３３】
Ｘ軸テーブル１２は、床上に直接載置されており、Ｘ軸方向の駆動系を構成するモータ駆動のＸ軸スライダ（図示省略）を有し、これに基板Ｗやアライメントマスクを吸着セットする吸着テーブル（図示省略）および基板θ軸テーブル（図示省略）等から成るセットテーブル２１を移動自在に搭載して、構成されている。そして、Ｘ軸スライダをＸ軸方向に移動すると、セットテーブル２１上にセットされた基板ＷがＸ軸方向に移動する。なお、Ｘ軸テーブル１２には、吸着テーブルの移動位置を検出するためのＸ軸リニアスケール２２（図５参照）が設けられている。
【００３４】
Ｙ軸テーブル１３は、Ｘ軸テーブル１２を跨ぐようにして、床上に立設した左右の支柱（図示省略）に支持されており、Ｙ軸方向の駆動系を構成するモータ駆動のＹ軸スライダ（図示省略）を２組有し、各組のＹ軸スライダに上記のキャリッジ１４を介してヘッドユニット１５を移動自在に搭載して、構成されている。２個のキャリッジ１４は、個別にＹ軸方向へ移動させることができると共に、当然ではあるが、これらを一括してＹ軸方向に移動させることもできる。なお、Ｙ軸テーブル１３には、各キャリッジ１４（ヘッドユニット１５）の移動位置を検出するＹ軸リニアスケール２４（図５参照）が設けられている。
【００３５】
各キャリッジ１４は、ヘッドユニット１５を保持すると共に、モータ駆動でヘッドユニット１５のθ位置を微調整（回転補正）するヘッドθ軸テーブル２６を有している。なお、本実施形態では、２個のキャリッジ１４（ヘッドユニット１５）を備えているが、その個数は任意である。
【００３６】
２個のヘッドユニット１５には、共通の機能液が導入されており、基板Ｗのサイズに応じて、稼動させるヘッドユニット１５の個数を増減させるようになっている。もっとも、相異なる機能液を導入し、各ヘッドユニット１５を、別々の描画処理に用いるようにしてもよい。
【００３７】
図３に示すように、各ヘッドユニット１５は、４個の機能液滴吐出ヘッド１７と、これを位置決めして装着するヘッドプレート３１と、ヘッドプレート３１に突設した２個の基準ピン３２とから構成されており、ヘッドプレート３１を介してキャリッジ１４に搭載される。２個の基準ピン３２は、画像認識を前提として、各ヘッドユニット１５を位置決めするためのものである。なお、同図の符号３３は、ヘッドθ軸テーブル２６によるヘッドユニット１５の回転中心である。
【００３８】
４個の機能液滴吐出ヘッド１７は、後述するノズル列４２の列方向が相互に平行になるように装着されており、キャリッジ１４に搭載された状態では、各ノズル列４２がＹ軸方向と平行になるようになっている。なお、以下では、図示左側から数えてｎ番目の機能液滴吐出ヘッド１７を、「第ｎヘッド」とよぶ。
【００３９】
第１ヘッド１７ａおよび第２ヘッド１７ｂは、複数のノズル４３がＹ軸方向に連続するように、Ｘ軸方向にずらしながら階段状に配設され、第３ヘッド１７ｃおよび第４ヘッド１７ｄは、機能液滴吐出ヘッド１７間の物理的干渉を避けるべく、第１ヘッド１７ａおよび第２ヘッドに対しＹ軸方向に列替えすると共に間隙（略５ヘッド分）を存して、上記と同様の階段状に配設されている。すなわち、第１ヘッド１７ａと第３ヘッド１７ｃとがＹ軸方向に並んでおり、同様に、第２ヘッド１７ｂと第４ヘッド１７ｄとがＹ軸方向に並んでいる。
【００４０】
図４に示すように、機能液滴吐出ヘッド１７は、図示しない機能液パック等から機能液が供給され、インクジェット方式（例えば圧電素子駆動）で機能液を吐出するものであって、ノズル面４１に相互に平行に形成した２本のノズル列４２（Ａ列４２ＡおよびＢ列４２Ｂ）を有している。各ノズル列４２は複数（例えば１８０個）のノズル４３が等ピッチ（例えば１４１μｍ）で並べられて構成されている。そして、両ノズル列４２は、互いにノズル列４２の列方向に半ピッチ（７０μｍ）分ずれている。すなわち、２本のノズル列４２によるノズルピッチが、７０μｍとなっている。そして、後述するヘッドドライバ１１１から駆動波形を印加することにより、各ノズル４３から機能液が吐出される。
【００４１】
メンテナンス装置は、図示しないが、メンテナンスエリアに、機能液滴吐出ヘッド１７のノズル４３から機能液を吸引する吸引ユニット、機能液滴吐出ヘッド１７のノズル面４１を払拭するワイピングユニットと、機能液滴の飛行状態を観測する飛行観測ユニット等を備えている。また、吸着テーブルの前後両側には、フラッシング（捨て吐出）を行うための一対の描画前フラッシングボックスが配設されている。
【００４２】
画像認識手段１６は、基板搬出入エリアの前後両側に臨むように配設され、基板Ｗの２つの基板アライメントマークＷｍや、アライメントマスクの２つのマスクアライメントマークをそれぞれ画像認識する２台の基板認識カメラ５１（図５参照）と、Ｘ軸テーブル１２のＸ軸スライダに連結され、各ヘッドユニット１５の２つの基準ピン３２を画像認識するヘッド認識カメラ５２と、基板Ｗ等に吐出された機能液滴やアライメントマスクの基準マークを画像認識する描画認識カメラ５３と、Ｙ軸テーブル１３と平行に配設され、モータ駆動でヘッド認識カメラ５２をＹ軸方向に移動させるカメラ移動機構５４とを有している。
【００４３】
Ｘ軸テーブル１２によりセットテーブル２１を基板搬出入エリアに移動させることで、各基板認識カメラ５１が基板アライメントマークＷｍやマスクアライメントマークに臨み、これを撮像する。また、Ｘ軸テーブル１２によりヘッド認識カメラ５２を描画エリアに移動させると共に、Ｙ軸テーブル１３によりヘッドユニット１５をＹ軸方向に移動させることで、ヘッド認識カメラ５２が２個のヘッドユニット１５に順次臨み、これらを撮像する。さらに、Ｘ軸テーブル１２により基板Ｗやアライメントマスクをヘッド認識カメラ５２の移動軌跡上に移動させると共に、カメラ移動機構５４によりヘッド認識カメラ５２をＹ軸方向に移動させることで、ヘッド認識カメラ５２が後述する検査用機能液滴Ｄ（図７参照）や基準マークに臨み、これらを撮像する。
【００４４】
次に、図５を参照して、液滴吐出装置１全体の制御系について説明する。液滴吐出装置１の制御系は、基本的に、各種データを入力する操作パネル４を有する入力部１０１と、画像認識手段１６の各種カメラを有して基板Ｗや各ヘッドユニット１５の位置認識を行う位置検出部１０２と、Ｘ軸リニアスケール２２およびＹ軸リニアスケール２４を有して吸着テーブルおよび各ヘッドユニット１５の刻々の位置を検出する移動検出部１０３と、機能液滴吐出ヘッド１７、ＸＹ移動機構１１等を駆動する各種ドライバを有する駆動部１０４と、これら各部を含め液滴吐出装置１を統括制御する制御部１０５（コントローラ３）とを備えている。
【００４５】
駆動部１０４は、機能液滴吐出ヘッド１７を吐出駆動制御するヘッドドライバ１１１と、ＸＹ移動機構１１の各モータをそれぞれ駆動制御するモータドライバ１１２とを有している。ヘッドドライバ１１１は、制御部１０５の指示に従って所定の駆動波形を生成・印加して、機能液滴吐出ヘッド１７を吐出駆動制御する。また、モータドライバ１１２は、Ｘ軸モータドライバ１１３、Ｙ軸モータドライバ１１４、基板θ軸モータドライバ１１５およびヘッドθ軸モータドライバ１１６を有し、これらは制御部１０５の指示に従って、Ｘ軸テーブル１２、Ｙ軸テーブル１３、基板θ軸テーブルおよびヘッドθ軸テーブル２６の各駆動モータを駆動制御する。
【００４６】
制御部１０５は、ＣＰＵ１２１と、ＲＯＭ１２２と、ＲＡＭ１２３と、Ｐ−ＣＯＮ１２４とを備え、これらは互いにバス１２５を介して接続されている。ＲＯＭ１２２は、ＣＰＵ１２１で処理する制御プログラム等を記憶する制御プログラム領域と、描画処理や画像認識を行うための制御データ等を記憶する制御データ領域とを有している。
【００４７】
ＲＡＭ１２３は、各種レジスタ群のほか、後述する描画用吐出パターンデータやアライメント用吐出パターンデータを記憶する吐出パターンデータ領域、画像データを一時的に記憶する画像データ領域、基板Ｗや各ヘッドユニット１５を位置補正するための補正データを記憶する補正データ領域等を有し、制御処理のための各種作業領域として使用される。
【００４８】
Ｐ−ＣＯＮ１２４には、ＣＰＵ１２１の機能を補うと共に、周辺回路とのインタフェース信号を取り扱うための論理回路が構成されて組み込まれている。このため、Ｐ−ＣＯＮ１２４は、画像データや入力部１０１からの各種指令等をそのままあるいは加工してバス１２５に取り込むと共に、ＣＰＵ１２１と連動して、ＣＰＵ１２１等からバス１２５に出力されたデータや制御信号を、そのままあるいは加工して駆動部１０４に出力する。
【００４９】
そして、ＣＰＵ１２１は、ＲＯＭ１２２内の制御プログラムに従って、Ｐ−ＣＯＮ１２４を介して各種検出信号、各種指令、各種データ等を入力し、ＲＡＭ１２３内の各種データ等を処理した後、Ｐ−ＣＯＮ１２４を介して駆動部１０４等に各種の制御信号を出力することにより、液滴吐出装置１全体を制御している。例えば、ＣＰＵ１２１は、機能液滴吐出ヘッド１７、Ｘ軸テーブル１２およびＹ軸テーブル１３を制御して、所定の液滴吐出条件および所定の移動条件で基板Ｗに描画を行う。
【００５０】
ここで、液滴吐出装置１による基板Ｗへの一連の描画動作について簡単に説明する。まず、基板搬出入エリアに移動させたセットテーブル２１に基板Ｗをセットすると共に、機能液滴を吐出する前の準備として、基板アライメント動作を行う。すなわち、２台の基板認識カメラ５１により基板Ｗ上の２つの基板アライメントマークＷｍが画像認識され、その画像認識結果に基づいて、基板θ軸テーブルによるθ軸方向の位置補正と、基板ＷのＸ軸方向およびＹ軸方向の位置データ補正とが行われ、基板Ｗの位置補正が為される。
【００５１】
この基板アライメント動作と相前後して、詳細は後述するが、各ヘッドユニット１５の相対位置を補正するヘッドアライメント動作（液滴着弾位置補正処理）を行う。もっとも、このヘッドアライメント動作は、基板Ｗの描画毎（基板Ｗの交換毎）に行う必要はなく、タクトタイムを短縮すべく、ツーリング時やヘッド交換時のみに行ってもよい。
【００５２】
このようにして、基板Ｗおよびヘッドユニット１５のアライメントを行った上で、基板Ｗに対する機能液の吐出を行う。すなわち、Ｘ軸テーブル１２により基板ＷをＸ軸方向に移動させながら、描画用吐出パターンデータに基づいて、基板Ｗに対して複数の機能液滴吐出ヘッド１７から機能液滴をそれぞれ吐出・着弾させる主走査と、Ｙ軸テーブル１３により２個のヘッドユニット１５をＹ軸方向に移動させる副走査とを繰り返し行って、基板Ｗの実描画領域Ｗｄ全域に描画処理を行う。
【００５３】
図６および図７を参照して、本実施形態に係る液滴吐出装置１のヘッドアライメント動作（着弾位置補正処理）について詳細に説明する。なお、このヘッドアライメント動作は、ヘッドユニット１５単位で行われ、以下では、一方のヘッドユニット１５のみについて説明するが、他方のヘッドユニット１５についても、同様の動作が行われる。
【００５４】
まず、アライメントマスクを用いて、アライメント用吐出パターンデータを生成する（図６のＳ１１）。すなわち、アライメントマスクをセットテーブル２１にセットし、上記の基板アライメント動作と同様にして、一対のマスクアライメントマークを基板認識カメラ５１により画像認識し、アライメントマスクのアライメントを行う。次に、描画認識カメラ５３により、アライメントマスクの複数の基準マークを画像認識し、機能液滴の理想的な着弾位置（座標データ）を取得・記憶する。取得した着弾位置に基づいて、アライメント用吐出パターンデータを生成・記憶する。
【００５５】
その後、アライメントマスクに代えて描画対象となる基板Ｗをセットテーブル２１にセットする。なお、アライメント用吐出パターンデータは、同種のヘッドユニット１５を用いるのであれば、ヘッドアライメント動作毎に行う必要はない。
【００５６】
続いて、ヘッドユニット１５のθ軸方向における相対位置を仮補正する（Ｓ１２）。すなわち、２個のヘッドユニット１５を順次ヘッド認識カメラ５２に臨ませながら、ヘッド認識カメラ５２により、ヘッドユニット１５の２つの基準ピン３２を画像認識する。この画像認識結果に基づいて、ヘッドθ軸テーブル２６によりヘッドユニット１５をθ軸方向に回転させる。
【００５７】
なお、ヘッドユニット１５が極端に角度ずれしていない場合には、この仮補正処理を省略してもよい。もっとも、仮補正処理を行うことで、後述する検査用機能液滴Ｄの画像認識処理において、基板Ｗに着弾した検査用機能液滴Ｄを、描画認識カメラ５３の視野内に確実に収めることができる。
【００５８】
次に、基板Ｗ（検査用ワーク）に形成した検査領域Ｗｃに対し、ヘッドユニット１５を臨ませ、上記のアライメント用吐出パターンデータにより、ヘッドユニット１５の２個の機能液滴吐出ヘッド１７から検査用機能液滴を吐出・着弾させる（Ｓ１３）。すなわち、第１ヘッド１７ａおよび第３ヘッド１７ｃの各ノズル列４２の３個のノズル４３（例えば、端から９０番目、９１番目および９２番目）から、それぞれ１の検査用機能液滴Ｄを着弾させる。
【００５９】
続いて、描画認識カメラ５３により各検査用機能液滴Ｄを撮像して、各検査用機能液滴Ｄの重心（着弾位置）を画像認識する（Ｓ１４）。そして、制御部１０５により、ノズル列４２毎に、３個の検査用機能液滴Ｄの着弾位置の画像認識データを平均し、その平均値を各ノズル列４２の平均着弾位置Ｐｍとする。着弾位置の計測対象となるノズル４３は、各ノズル列４２につき１個のノズル４３でもよいが、複数ノズル４３の平均値を用いることで、飛行曲がり等の影響を軽減することができる。
【００６０】
次に、制御部１０５により、各ノズル列４２の平均着弾位置Ｐｍの画像認識データと、アライメント用吐出パターンデータ（理想的な着弾位置）とを比較して、ノズル列４２毎に、検査用機能液滴の着弾誤差を取得する（Ｓ１５）。図７の符号Ｐｉは、アライメント用吐出パターンデータに基づく理想的な着弾位置を示すものである。
【００６１】
そして、制御部１０５により、第１ヘッド１７ａのＡ列４２Ａの着弾誤差、および第３ヘッド１７ｃのＡ列４２Ａの着弾誤差から、第１ヘッド１７ａのＡ列４２Ａの平均着弾位置Ｐｍと第３ヘッド１７ｃのＡ列４２Ａの平均着弾位置Ｐｍとを結ぶ線がＹ軸方向に対して為す角度θａを算出する。同様に、第１ヘッド１７ａのＢ列４２Ｂの着弾誤差、および第３ヘッド１７ｃのＢ列の着弾誤差から、第１ヘッド１７ａのＢ列４２Ｂの平均着弾位置Ｐｍと第３ヘッド１７ｃのＢ列４２Ｂの平均着弾位置Ｐｍとを結ぶ線がＹ軸方向に対して為す角度θｂを算出する。このθａとθｂとの平均値を基に、ヘッドユニット１５の回転中心３３を考慮して、ヘッドユニット１５を角度補正するための角度補正データを生成する（Ｓ１６）。
【００６２】
これによれば、ヘッドユニット１５の４個の機能液滴吐出ヘッド１７のうち、第１ヘッド１７ａおよび第３ヘッド１７ｃから検査用機能液滴Ｄを着弾させることで、単一の機能液滴吐出ヘッド１７のノズル列４２のうちの２つのノズル４３から検査用機能液滴Ｄを着弾させる場合に比べて、検査用機能液滴Ｄを相互に十分に離間させることができる。このため、仮に、ノズル４３の吐出特性等に起因して着弾位置がずれたとしても、２つの平均着弾位置Ｐｍを結ぶ線がＹ軸方向に対して為す角度θａ，θｂは、ほとんど影響を受けず、角度補正データを高精度に得ることができる。
【００６３】
なお、一方のノズル列４２のみについて着弾誤差を求め、角度補正データを生成してもよい。もっとも、本実施形態のように、Ａ列４２ＡおよびＢ列４２Ｂ双方の着弾誤差を求めることで、角度補正データを高精度に得ることができる。さらに、第２ヘッド１７ｂおよび第４ヘッド１７ｄについて、第１ヘッド１７ａおよび第３ヘッド１７ｃと同様にして、着弾誤差を求めれば、角度補正データをより高精度に得ることができる。
【００６４】
さらに、制御部１０５により、取得した着弾誤差に角度補正データを加味して、ヘッドユニット１５をＹ軸方向に移動補正するＹ軸移動補正データを生成すると共に、Ｘ軸方向における相対位置を補正するように、描画用吐出パターンデータをデータ補正（Ｘ軸補正）する（Ｓ１７）。
【００６５】
最後に、得られた角度補正データに基づいて、ヘッドθ軸テーブル２６によりヘッドユニット１５を回転補正（θ軸補正）し、また、移動補正データに基づいて、Ｙ軸テーブル１３によりヘッドユニット１５をＹ軸方向にＹ軸移動補正（Ｙ軸補正）して（Ｓ１８）、一連の液滴着弾位置補正処理を終了する。なお、当然のことながら、このＸ軸補正、Ｙ軸補正およびθ軸補正は、いずれの順序で行ってもよく、また、これらを同時並行的に行ってもよい。
【００６６】
このように、高精度に得られた角度補正データに基づいて回転補正を行うことで、ヘッドユニット１５のθ軸方向における角度ずれを高精度に回転補正することができ、角度ずれに起因するθ軸方向の着弾位置ずれを適切に補正することができる。また、高精度に得られた角度補正データを加味して、Ｘ軸補正およびＹ軸補正を行うことで、ヘッドユニット１５の角度ずれに加えて、Ｘ軸方向およびＹ軸方向におけるヘッドユニット１５の位置ずれを適切に補正することができ、位置ずれに起因するＸ軸方向およびＹ軸方向の着弾位置ずれを適切に補正することができる。
【００６７】
なお、図８に示すように、上記と同様にして角度補正データを生成（Ｓ１６）した後、ヘッドユニット１５を回転補正し（Ｓ２１）、その上で、上記と同様にして、２回目の検査用機能液滴Ｄの着弾（Ｓ２２）、検査用機能液滴Ｄの着弾位置の画像認識（Ｓ２３）、検査用機能液滴の着弾誤差の取得（Ｓ２４）を行い、その着弾誤差に基づいて、描画用吐出パターンデータのデータ補正およびＹ軸移動補正データを生成（Ｓ２５）し、最後にヘッドユニット１５をＹ軸方向にＹ軸移動補正（Ｓ２６）してもよい。この場合、２回目の検査用機能液滴Ｄの着弾（Ｓ２２）以降の処理は、４個の機能液滴吐出ヘッド１７のうち１個の機能液滴吐出ヘッド１７の１のノズル４３から着弾させた１の検査用機能液滴Ｄについて行えば足りる。もっとも、複数のノズル４３から着弾させた複数の検査用機能液滴Ｄについて行うことにより、精度を向上させることができる。
【００６８】
また、本実施形態では、アライメント用吐出パターンデータの生成と、検査用機能液滴の画像認識とを、別々に行ったが、処理時間を短縮すべく、これらを同時並行的に行ってもよい。すなわち、アライメントマスク上に、検査用機能液滴を受ける検査領域を形成し、アライメントマスクを検査用ワークとして、検査用機能液滴Ｄを吐出し、検査用機能液滴Ｄの画像認識と並行して、基準マークを画像認識して、アライメント吐出パターンデータを生成する。
【００６９】
もっとも、本実施形態のように、アライメントマスク上に検査用機能液滴を吐出しないようにすれば、アライメントマスクを洗浄する必要がない。このため、洗浄作業の手間を省くことができると共に、洗浄作業によるアライメントマスクの損傷を回避することができ、アライメントマスクを常に良好な状態に保つことができる。
【００７０】
次に、本実施形態の液滴吐出装置１を用いて製造される電気光学装置（フラットパネルディスプレイ）として、カラーフィルタ、液晶表示装置、有機ＥＬ装置、プラズマディスプレイ（ＰＤＰ装置）、電子放出装置（ＦＥＤ装置、ＳＥＤ装置）、さらにこれら表示装置に形成されてなるアクティブマトリクス基板等を例に、これらの構造およびその製造方法について説明する。なお、アクティブマトリクス基板とは、薄膜トランジスタ、および薄膜トランジスタに電気的に接続するソース線、データ線が形成された基板をいう。
【００７１】
まず、液晶表示装置や有機ＥＬ装置等に組み込まれるカラーフィルタの製造方法について説明する。図９は、カラーフィルタの製造工程を示すフローチャート、図１０は、製造工程順に示した本実施形態のカラーフィルタ５００（フィルタ基体５００Ａ）の模式断面図である。
まず、ブラックマトリクス形成工程（Ｓ１０１）では、図１０（ａ）に示すように、基板（Ｗ）５０１上にブラックマトリクス５０２を形成する。ブラックマトリクス５０２は、金属クロム、金属クロムと酸化クロムの積層体、または樹脂ブラック等により形成される。金属薄膜からなるブラックマトリクス５０２を形成するには、スパッタ法や蒸着法等を用いることができる。また、樹脂薄膜からなるブラックマトリクス５０２を形成する場合には、グラビア印刷法、フォトレジスト法、熱転写法等を用いることができる。
【００７２】
続いて、バンク形成工程（Ｓ１０２）において、ブラックマトリクス５０２上に重畳する状態でバンク５０３を形成する。即ち、まず図１０（ｂ）に示すように、基板５０１およびブラックマトリクス５０２を覆うようにネガ型の透明な感光性樹脂からなるレジスト層５０４を形成する。そして、その上面をマトリクスパターン形状に形成されたマスクフィルム５０５で被覆した状態で露光処理を行う。
さらに、図１０（ｃ）に示すように、レジスト層５０４の未露光部分をエッチング処理することによりレジスト層５０４をパターニングして、バンク５０３を形成する。なお、樹脂ブラックによりブラックマトリクスを形成する場合は、ブラックマトリクスとバンクとを兼用することが可能となる。
このバンク５０３とその下のブラックマトリクス５０２は、各画素領域５０７ａを区画する区画壁部５０７ｂとなり、後の着色層形成工程において機能液滴吐出ヘッド１７により着色層（成膜部）５０８Ｒ、５０８Ｇ、５０８Ｂを形成する際に機能液滴の着弾領域を規定する。
【００７３】
以上のブラックマトリクス形成工程およびバンク形成工程を経ることにより、上記フィルタ基体５００Ａが得られる。
なお、本実施形態においては、バンク５０３の材料として、塗膜表面が疎液（疎水）性となる樹脂材料を用いている。そして、基板（ガラス基板）５０１の表面が親液（親水）性であるので、後述する着色層形成工程においてバンク５０３（区画壁部５０７ｂ）に囲まれた各画素領域５０７ａ内への液滴の着弾位置のばらつきを自動補正できる。
【００７４】
次に、着色層形成工程（Ｓ１０３）では、図１０（ｄ）に示すように、機能液滴吐出ヘッド１７によって機能液滴を吐出して区画壁部５０７ｂで囲まれた各画素領域５０７ａ内に着弾させる。この場合、機能液滴吐出ヘッド１７を用いて、Ｒ・Ｇ・Ｂの３色の機能液（フィルタ材料）を導入して、機能液滴の吐出を行う。なお、Ｒ・Ｇ・Ｂの３色の配列パターンとしては、ストライプ配列、モザイク配列およびデルタ配列等がある。
【００７５】
その後、乾燥処理（加熱等の処理）を経て機能液を定着させ、３色の着色層５０８Ｒ、５０８Ｇ、５０８Ｂを形成する。着色層５０８Ｒ、５０８Ｇ、５０８Ｂを形成したならば、保護膜形成工程（Ｓ１０４）に移り、図１０（ｅ）に示すように、基板５０１、区画壁部５０７ｂ、および着色層５０８Ｒ、５０８Ｇ、５０８Ｂの上面を覆うように保護膜５０９を形成する。
即ち、基板５０１の着色層５０８Ｒ、５０８Ｇ、５０８Ｂが形成されている面全体に保護膜用塗布液が吐出された後、乾燥処理を経て保護膜５０９が形成される。
そして、保護膜５０９を形成した後、カラーフィルタ５００は、次工程の透明電極となるＩＴＯ（Indium Tin Oxide）などの膜付け工程に移行する。
【００７６】
図１１は、上記のカラーフィルタ５００を用いた液晶表示装置の一例としてのパッシブマトリックス型液晶装置（液晶装置）の概略構成を示す要部断面図である。この液晶装置５２０に、液晶駆動用ＩＣ、バックライト、支持体などの付帯要素を装着することによって、最終製品としての透過型液晶表示装置が得られる。なお、カラーフィルタ５００は図１０に示したものと同一であるので、対応する部位には同一の符号を付し、その説明は省略する。
【００７７】
この液晶装置５２０は、カラーフィルタ５００、ガラス基板等からなる対向基板５２１、および、これらの間に挟持されたＳＴＮ（Super Twisted Nematic）液晶組成物からなる液晶層５２２により概略構成されており、カラーフィルタ５００を図中上側（観測者側）に配置している。
なお、図示していないが、対向基板５２１およびカラーフィルタ５００の外面（液晶層５２２側とは反対側の面）には偏光板がそれぞれ配設され、また対向基板５２１側に位置する偏光板の外側には、バックライトが配設されている。
【００７８】
カラーフィルタ５００の保護膜５０９上（液晶層側）には、図１１において左右方向に長尺な短冊状の第１電極５２３が所定の間隔で複数形成されており、この第１電極５２３のカラーフィルタ５００側とは反対側の面を覆うように第１配向膜５２４が形成されている。
一方、対向基板５２１におけるカラーフィルタ５００と対向する面には、カラーフィルタ５００の第１電極５２３と直交する方向に長尺な短冊状の第２電極５２６が所定の間隔で複数形成され、この第２電極５２６の液晶層５２２側の面を覆うように第２配向膜５２７が形成されている。これらの第１電極５２３および第２電極５２６は、ＩＴＯなどの透明導電材料により形成されている。
【００７９】
液晶層５２２内に設けられたスペーサ５２８は、液晶層５２２の厚さ（セルギャップ）を一定に保持するための部材である。また、シール材５２９は液晶層５２２内の液晶組成物が外部へ漏出するのを防止するための部材である。なお、第１電極５２３の一端部は引き回し配線５２３ａとしてシール材５２９の外側まで延在している。
そして、第１電極５２３と第２電極５２６とが交差する部分が画素であり、この画素となる部分に、カラーフィルタ５００の着色層５０８Ｒ、５０８Ｇ、５０８Ｂが位置するように構成されている。
【００８０】
通常の製造工程では、カラーフィルタ５００に、第１電極５２３のパターニングおよび第１配向膜５２４の塗布を行ってカラーフィルタ５００側の部分を作成すると共に、これとは別に対向基板５２１に、第２電極５２６のパターニングおよび第２配向膜５２７の塗布を行って対向基板５２１側の部分を作成する。その後、対向基板５２１側の部分にスペーサ５２８およびシール材５２９を作り込み、この状態でカラーフィルタ５００側の部分を貼り合わせる。次いで、シール材５２９の注入口から液晶層５２２を構成する液晶を注入し、注入口を閉止する。その後、両偏光板およびバックライトを積層する。
【００８１】
実施形態の液滴吐出装置１は、例えば上記のセルギャップを構成するスペーサ材料（機能液）を塗布すると共に、対向基板５２１側の部分にカラーフィルタ５００側の部分を貼り合わせる前に、シール材５２９で囲んだ領域に液晶（機能液）を均一に塗布することが可能である。また、上記のシール材５２９の印刷を、機能液滴吐出ヘッド１７で行うことも可能である。さらに、第１・第２両配向膜５２４，５２７の塗布を機能液滴吐出ヘッド１７で行うことも可能である。
【００８２】
図１２は、本実施形態において製造したカラーフィルタ５００を用いた液晶装置の第２の例の概略構成を示す要部断面図である。
この液晶装置５３０が上記液晶装置５２０と大きく異なる点は、カラーフィルタ５００を図中下側（観測者側とは反対側）に配置した点である。
この液晶装置５３０は、カラーフィルタ５００とガラス基板等からなる対向基板５３１との間にＳＴＮ液晶からなる液晶層５３２が挟持されて概略構成されている。なお、図示していないが、対向基板５３１およびカラーフィルタ５００の外面には偏光板等がそれぞれ配設されている。
【００８３】
カラーフィルタ５００の保護膜５０９上（液晶層５３２側）には、図中奥行き方向に長尺な短冊状の第１電極５３３が所定の間隔で複数形成されており、この第１電極５３３の液晶層５３２側の面を覆うように第１配向膜５３４が形成されている。
対向基板５３１のカラーフィルタ５００と対向する面上には、カラーフィルタ５００側の第１電極５３３と直交する方向に延在する複数の短冊状の第２電極５３６が所定の間隔で形成され、この第２電極５３６の液晶層５３２側の面を覆うように第２配向膜５３７が形成されている。
【００８４】
液晶層５３２には、この液晶層５３２の厚さを一定に保持するためのスペーサ５３８と、液晶層５３２内の液晶組成物が外部へ漏出するのを防止するためのシール材５３９が設けられている。
そして、上記した液晶装置５２０と同様に、第１電極５３３と第２電極５３６との交差する部分が画素であり、この画素となる部位に、カラーフィルタ５００の着色層５０８Ｒ、５０８Ｇ、５０８Ｂが位置するように構成されている。
【００８５】
図１３は、本発明を適用したカラーフィルタ５００を用いて液晶装置を構成した第３の例を示したもので、透過型のＴＦＴ（Thin Film Transistor）型液晶装置の概略構成を示す分解斜視図である。
この液晶装置５５０は、カラーフィルタ５００を図中上側（観測者側）に配置したものである。
【００８６】
この液晶装置５５０は、カラーフィルタ５００と、これに対向するように配置された対向基板５５１と、これらの間に挟持された図示しない液晶層と、カラーフィルタ５００の上面側（観測者側）に配置された偏光板５５５と、対向基板５５１の下面側に配設された偏光板（図示せず）とにより概略構成されている。
カラーフィルタ５００の保護膜５０９の表面（対向基板５５１側の面）には液晶駆動用の電極５５６が形成されている。この電極５５６は、ＩＴＯ等の透明導電材料からなり、後述の画素電極５６０が形成される領域全体を覆う全面電極となっている。また、この電極５５６の画素電極５６０とは反対側の面を覆った状態で配向膜５５７が設けられている。
【００８７】
対向基板５５１のカラーフィルタ５００と対向する面には絶縁層５５８が形成されており、この絶縁層５５８上には、走査線５６１および信号線５６２が互いに直交する状態で形成されている。そして、これらの走査線５６１と信号線５６２とに囲まれた領域内には画素電極５６０が形成されている。なお、実際の液晶装置では、画素電極５６０上に配向膜が設けられるが、図示を省略している。
【００８８】
また、画素電極５６０の切欠部と走査線５６１と信号線５６２とに囲まれた部分には、ソース電極、ドレイン電極、半導体、およびゲート電極とを具備する薄膜トランジスタ５６３が組み込まれて構成されている。そして、走査線５６１と信号線５６２に対する信号の印加によって薄膜トランジスタ５６３をオン・オフして画素電極５６０への通電制御を行うことができるように構成されている。
【００８９】
なお、上記の各例の液晶装置５２０，５３０，５５０は、透過型の構成としたが、反射層あるいは半透過反射層を設けて、反射型の液晶装置あるいは半透過反射型の液晶装置とすることもできる。
【００９０】
次に、図１４は、有機ＥＬ装置の表示領域（以下、単に表示装置６００と称する）の要部断面図である。
【００９１】
この表示装置６００は、基板（Ｗ）６０１上に、回路素子部６０２、発光素子部６０３および陰極６０４が積層された状態で概略構成されている。
この表示装置６００においては、発光素子部６０３から基板６０１側に発した光が、回路素子部６０２および基板６０１を透過して観測者側に出射されると共に、発光素子部６０３から基板６０１の反対側に発した光が陰極６０４により反射された後、回路素子部６０２および基板６０１を透過して観測者側に出射されるようになっている。
【００９２】
回路素子部６０２と基板６０１との間にはシリコン酸化膜からなる下地保護膜６０６が形成され、この下地保護膜６０６上（発光素子部６０３側）に多結晶シリコンからなる島状の半導体膜６０７が形成されている。この半導体膜６０７の左右の領域には、ソース領域６０７ａおよびドレイン領域６０７ｂが高濃度陽イオン打ち込みによりそれぞれ形成されている。そして陽イオンが打ち込まれない中央部がチャネル領域６０７ｃとなっている。
【００９３】
また、回路素子部６０２には、下地保護膜６０６および半導体膜６０７を覆う透明なゲート絶縁膜６０８が形成され、このゲート絶縁膜６０８上の半導体膜６０７のチャネル領域６０７ｃに対応する位置には、例えばＡｌ、Ｍｏ、Ｔａ、Ｔｉ、Ｗ等から構成されるゲート電極６０９が形成されている。このゲート電極６０９およびゲート絶縁膜６０８上には、透明な第１層間絶縁膜６１１ａと第２層間絶縁膜６１１ｂが形成されている。また、第１、第２層間絶縁膜６１１ａ、６１１ｂを貫通して、半導体膜６０７のソース領域６０７ａ、ドレイン領域６０７ｂにそれぞれ連通するコンタクトホール６１２ａ，６１２ｂが形成されている。
【００９４】
そして、第２層間絶縁膜６１１ｂ上には、ＩＴＯ等からなる透明な画素電極６１３が所定の形状にパターニングされて形成され、この画素電極６１３は、コンタクトホール６１２ａを通じてソース領域６０７ａに接続されている。
また、第１層間絶縁膜６１１ａ上には電源線６１４が配設されており、この電源線６１４は、コンタクトホール６１２ｂを通じてドレイン領域６０７ｂに接続されている。
【００９５】
このように、回路素子部６０２には、各画素電極６１３に接続された駆動用の薄膜トランジスタ６１５がそれぞれ形成されている。
【００９６】
上記発光素子部６０３は、複数の画素電極６１３上の各々に積層された機能層６１７と、各画素電極６１３および機能層６１７の間に備えられて各機能層６１７を区画するバンク部６１８とにより概略構成されている。
これら画素電極６１３、機能層６１７、および、機能層６１７上に配設された陰極６０４によって発光素子が構成されている。なお、画素電極６１３は、平面視略矩形状にパターニングされて形成されており、各画素電極６１３の間にバンク部６１８が形成されている。
【００９７】
バンク部６１８は、例えばＳｉＯ、ＳｉＯ2、ＴｉＯ2等の無機材料により形成される無機物バンク層６１８ａ（第１バンク層）と、この無機物バンク層６１８ａ上に積層され、アクリル樹脂、ポリイミド樹脂等の耐熱性、耐溶媒性に優れたレジストにより形成される断面台形状の有機物バンク層６１８ｂ（第２バンク層）とにより構成されている。このバンク部６１８の一部は、画素電極６１３の周縁部上に乗上げた状態で形成されている。
そして、各バンク部６１８の間には、画素電極６１３に対して上方に向けて次第に拡開した開口部６１９が形成されている。
【００９８】
上記機能層６１７は、開口部６１９内において画素電極６１３上に積層状態で形成された正孔注入／輸送層６１７ａと、この正孔注入／輸送層６１７ａ上に形成された発光層６１７ｂとにより構成されている。なお、この発光層６１７ｂに隣接してその他の機能を有する他の機能層をさらに形成しても良い。例えば、電子輸送層を形成することも可能である。
正孔注入／輸送層６１７ａは、画素電極６１３側から正孔を輸送して発光層６１７ｂに注入する機能を有する。この正孔注入／輸送層６１７ａは、正孔注入／輸送層形成材料を含む第１組成物（機能液）を吐出することで形成される。正孔注入／輸送層形成材料としては、公知の材料を用いる。
【００９９】
発光層６１７ｂは、赤色（Ｒ）、緑色（Ｇ）、または青色（Ｂ）のいずれかに発光するもので、発光層形成材料（発光材料）を含む第２組成物（機能液）を吐出することで形成される。第２組成物の溶媒（非極性溶媒）としては、正孔注入／輸送層６１７ａに対して不溶な公知の材料を用いることが好ましく、このような非極性溶媒を発光層６１７ｂの第２組成物に用いることにより、正孔注入／輸送層６１７ａを再溶解させることなく発光層６１７ｂを形成することができる。
【０１００】
そして、発光層６１７ｂでは、正孔注入／輸送層６１７ａから注入された正孔と、陰極６０４から注入される電子が発光層で再結合して発光するように構成されている。
【０１０１】
陰極６０４は、発光素子部６０３の全面を覆う状態で形成されており、画素電極６１３と対になって機能層６１７に電流を流す役割を果たす。なお、この陰極６０４の上部には図示しない封止部材が配置される。
【０１０２】
次に、上記の表示装置６００の製造工程を図１５〜図２３を参照して説明する。
この表示装置６００は、図１５に示すように、バンク部形成工程（Ｓ１１１）、表面処理工程（Ｓ１１２）、正孔注入／輸送層形成工程（Ｓ１１３）、発光層形成工程（Ｓ１１４）、および対向電極形成工程（Ｓ１１５）を経て製造される。なお、製造工程は例示するものに限られるものではなく必要に応じてその他の工程が除かれる場合、また追加される場合もある。
【０１０３】
まず、バンク部形成工程（Ｓ１１１）では、図１６に示すように、第２層間絶縁膜６１１ｂ上に無機物バンク層６１８ａを形成する。この無機物バンク層６１８ａは、形成位置に無機物膜を形成した後、この無機物膜をフォトリソグラフィ技術等によりパターニングすることにより形成される。このとき、無機物バンク層６１８ａの一部は画素電極６１３の周縁部と重なるように形成される。
無機物バンク層６１８ａを形成したならば、図１７に示すように、無機物バンク層６１８ａ上に有機物バンク層６１８ｂを形成する。この有機物バンク層６１８ｂも無機物バンク層６１８ａと同様にフォトリソグラフィ技術等によりパターニングして形成される。
このようにしてバンク部６１８が形成される。また、これに伴い、各バンク部６１８間には、画素電極６１３に対して上方に開口した開口部６１９が形成される。この開口部６１９は、画素領域を規定する。
【０１０４】
表面処理工程（Ｓ１１２）では、親液化処理および撥液化処理が行われる。親液化処理を施す領域は、無機物バンク層６１８ａの第１積層部６１８ａａおよび画素電極６１３の電極面６１３ａであり、これらの領域は、例えば酸素を処理ガスとするプラズマ処理によって親液性に表面処理される。このプラズマ処理は、画素電極６１３であるＩＴＯの洗浄等も兼ねている。
また、撥液化処理は、有機物バンク層６１８ｂの壁面６１８ｓおよび有機物バンク層６１８ｂの上面６１８ｔに施され、例えば四フッ化メタンを処理ガスとするプラズマ処理によって表面がフッ化処理（撥液性に処理）される。
この表面処理工程を行うことにより、機能液滴吐出ヘッド１７を用いて機能層６１７を形成する際に、機能液滴を画素領域に、より確実に着弾させることができ、また、画素領域に着弾した機能液滴が開口部６１９から溢れ出るのを防止することが可能となる。
【０１０５】
そして、以上の工程を経ることにより、表示装置基体６００Ａが得られる。この表示装置基体６００Ａは、図２に示した液滴吐出装置１のセットテーブル２１に載置され、以下の正孔注入／輸送層形成工程（Ｓ１１３）および発光層形成工程（Ｓ１１４）が行われる。
【０１０６】
図１８に示すように、正孔注入／輸送層形成工程（Ｓ１１３）では、機能液滴吐出ヘッド１７から正孔注入／輸送層形成材料を含む第１組成物を画素領域である各開口部６１９内に吐出する。その後、図１９に示すように、乾燥処理および熱処理を行い、第１組成物に含まれる極性溶媒を蒸発させ、画素電極（電極面６１３ａ）６１３上に正孔注入／輸送層６１７ａを形成する。
【０１０７】
次に発光層形成工程（Ｓ１１４）について説明する。この発光層形成工程では、上述したように、正孔注入／輸送層６１７ａの再溶解を防止するために、発光層形成の際に用いる第２組成物の溶媒として、正孔注入／輸送層６１７ａに対して不溶な非極性溶媒を用いる。
しかしその一方で、正孔注入／輸送層６１７ａは、非極性溶媒に対する親和性が低いため、非極性溶媒を含む第２組成物を正孔注入／輸送層６１７ａ上に吐出しても、正孔注入／輸送層６１７ａと発光層６１７ｂとを密着させることができなくなるか、あるいは発光層６１７ｂを均一に塗布できない虞がある。
そこで、非極性溶媒並びに発光層形成材料に対する正孔注入／輸送層６１７ａの表面の親和性を高めるために、発光層形成の前に表面処理（表面改質処理）を行うことが好ましい。この表面処理は、発光層形成の際に用いる第２組成物の非極性溶媒と同一溶媒またはこれに類する溶媒である表面改質材を、正孔注入／輸送層６１７ａ上に塗布し、これを乾燥させることにより行う。
このような処理を施すことで、正孔注入／輸送層６１７ａの表面が非極性溶媒になじみやすくなり、この後の工程で、発光層形成材料を含む第２組成物を正孔注入／輸送層６１７ａに均一に塗布することができる。
【０１０８】
そして次に、図２０に示すように、各色のうちのいずれか（図２０の例では青色（Ｂ））に対応する発光層形成材料を含有する第２組成物を機能液滴として画素領域（開口部６１９）内に所定量打ち込む。画素領域内に打ち込まれた第２組成物は、正孔注入／輸送層６１７ａ上に広がって開口部６１９内に満たされる。なお、万一、第２組成物が画素領域から外れてバンク部６１８の上面６１８ｔ上に着弾した場合でも、この上面６１８ｔは、上述したように撥液処理が施されているので、第２組成物が開口部６１９内に転がり込み易くなっている。
【０１０９】
その後、乾燥工程等を行うことにより、吐出後の第２組成物を乾燥処理し、第２組成物に含まれる非極性溶媒を蒸発させ、図２１に示すように、正孔注入／輸送層６１７ａ上に発光層６１７ｂが形成される。この図の場合、青色（Ｂ）に対応する発光層６１７ｂが形成されている。
【０１１０】
同様に、機能液滴吐出ヘッド１７を用い、図２２に示すように、上記した青色（Ｂ）に対応する発光層６１７ｂの場合と同様の工程を順次行い、他の色（赤色（Ｒ）および緑色（Ｇ））に対応する発光層６１７ｂを形成する。なお、発光層６１７ｂの形成順序は、例示した順序に限られるものではなく、どのような順番で形成しても良い。例えば、発光層形成材料に応じて形成する順番を決めることも可能である。また、Ｒ・Ｇ・Ｂの３色の配列パターンとしては、ストライプ配列、モザイク配列およびデルタ配列等がある。
【０１１１】
以上のようにして、画素電極６１３上に機能層６１７、即ち、正孔注入／輸送層６１７ａおよび発光層６１７ｂが形成される。そして、対向電極形成工程（Ｓ１１５）に移行する。
【０１１２】
対向電極形成工程（Ｓ１１５）では、図２３に示すように、発光層６１７ｂおよび有機物バンク層６１８ｂの全面に陰極６０４（対向電極）を、例えば蒸着法、スパッタ法、ＣＶＤ法等によって形成する。この陰極６０４は、本実施形態においては、例えば、カルシウム層とアルミニウム層とが積層されて構成されている。
この陰極６０４の上部には、電極としてのＡｌ膜、Ａｇ膜や、その酸化防止のためのＳｉＯ2、ＳｉＮ等の保護層が適宜設けられる。
【０１１３】
このようにして陰極６０４を形成した後、この陰極６０４の上部を封止部材により封止する封止処理や配線処理等のその他処理等を施すことにより、表示装置６００が得られる。
【０１１４】
次に、図２４は、プラズマ型表示装置（ＰＤＰ装置：以下、単に表示装置７００と称する）の要部分解斜視図である。なお、同図では表示装置７００を、その一部を切り欠いた状態で示してある。
この表示装置７００は、互いに対向して配置された第１基板７０１、第２基板７０２、およびこれらの間に形成される放電表示部７０３を含んで概略構成される。放電表示部７０３は、複数の放電室７０５により構成されている。これらの複数の放電室７０５のうち、赤色放電室７０５Ｒ、緑色放電室７０５Ｇ、青色放電室７０５Ｂの３つの放電室７０５が組になって１つの画素を構成するように配置されている。
【０１１５】
第１基板７０１の上面には所定の間隔で縞状にアドレス電極７０６が形成され、このアドレス電極７０６と第１基板７０１の上面とを覆うように誘電体層７０７が形成されている。誘電体層７０７上には、各アドレス電極７０６の間に位置し、且つ各アドレス電極７０６に沿うように隔壁７０８が立設されている。この隔壁７０８は、図示するようにアドレス電極７０６の幅方向両側に延在するものと、アドレス電極７０６と直交する方向に延設された図示しないものを含む。
そして、この隔壁７０８によって仕切られた領域が放電室７０５となっている。
【０１１６】
放電室７０５内には蛍光体７０９が配置されている。蛍光体７０９は、赤（Ｒ）、緑（Ｇ）、青（Ｂ）のいずれかの色の蛍光を発光するもので、赤色放電室７０５Ｒの底部には赤色蛍光体７０９Ｒが、緑色放電室７０５Ｇの底部には緑色蛍光体７０９Ｇが、青色放電室７０５Ｂの底部には青色蛍光体７０９Ｂが各々配置されている。
【０１１７】
第２基板７０２の図中下側の面には、上記アドレス電極７０６と直交する方向に複数の表示電極７１１が所定の間隔で縞状に形成されている。そして、これらを覆うように誘電体層７１２、およびＭｇＯなどからなる保護膜７１３が形成されている。
第１基板７０１と第２基板７０２とは、アドレス電極７０６と表示電極７１１が互いに直交する状態で対向させて貼り合わされている。なお、上記アドレス電極７０６と表示電極７１１は図示しない交流電源に接続されている。
そして、各電極７０６，７１１に通電することにより、放電表示部７０３において蛍光体７０９が励起発光し、カラー表示が可能となる。
【０１１８】
本実施形態においては、上記アドレス電極７０６、表示電極７１１、および蛍光体７０９を、図２に示した液滴吐出装置１を用いて形成することができる。以下、第１基板７０１におけるアドレス電極７０６の形成工程を例示する。
この場合、第１基板７０１を液滴吐出装置１のセットテーブル２１に載置された状態で以下の工程が行われる。
まず、機能液滴吐出ヘッド１７により、導電膜配線形成用材料を含有する液体材料（機能液）を機能液滴としてアドレス電極形成領域に着弾させる。この液体材料は、導電膜配線形成用材料として、金属等の導電性微粒子を分散媒に分散したものである。この導電性微粒子としては、金、銀、銅、パラジウム、またはニッケル等を含有する金属微粒子や、導電性ポリマー等が用いられる。
【０１１９】
補充対象となるすべてのアドレス電極形成領域について液体材料の補充が終了したならば、吐出後の液体材料を乾燥処理し、液体材料に含まれる分散媒を蒸発させることによりアドレス電極７０６が形成される。
【０１２０】
ところで、上記においてはアドレス電極７０６の形成を例示したが、上記表示電極７１１および蛍光体７０９についても上記各工程を経ることにより形成することができる。
表示電極７１１の形成の場合、アドレス電極７０６の場合と同様に、導電膜配線形成用材料を含有する液体材料（機能液）を機能液滴として表示電極形成領域に着弾させる。
また、蛍光体７０９の形成の場合には、各色（Ｒ，Ｇ，Ｂ）に対応する蛍光材料を含んだ液体材料（機能液）を機能液滴吐出ヘッド１７から液滴として吐出し、対応する色の放電室７０５内に着弾させる。
【０１２１】
次に、図２５は、電子放出装置（ＦＥＤ装置あるいはＳＥＤ装置ともいう：以下、単に表示装置８００と称する）の要部断面図である。なお、同図では表示装置８００を、その一部を断面として示してある。
この表示装置８００は、互いに対向して配置された第１基板８０１、第２基板８０２、およびこれらの間に形成される電界放出表示部８０３を含んで概略構成される。電界放出表示部８０３は、マトリクス状に配置した複数の電子放出部８０５により構成されている。
【０１２２】
第１基板８０１の上面には、カソード電極８０６を構成する第１素子電極８０６ａおよび第２素子電極８０６ｂが相互に直交するように形成されている。また、第１素子電極８０６ａおよび第２素子電極８０６ｂで仕切られた部分には、ギャップ８０８を形成した導電性膜８０７が形成されている。すなわち、第１素子電極８０６ａ、第２素子電極８０６ｂおよび導電性膜８０７により複数の電子放出部８０５が構成されている。導電性膜８０７は、例えば酸化パラジウム（ＰｄＯ）等で構成され、またギャップ８０８は、導電性膜８０７を成膜した後、フォーミング等で形成される。
【０１２３】
第２基板８０２の下面には、カソード電極８０６に対峙するアノード電極８０９が形成されている。アノード電極８０９の下面には、格子状のバンク部８１１が形成され、このバンク部８１１で囲まれた下向きの各開口部８１２に、電子放出部８０５に対応するように蛍光体８１３が配置されている。蛍光体８１３は、赤（Ｒ）、緑（Ｇ）、青（Ｂ）のいずれかの色の蛍光を発光するもので、各開口部８１２には、赤色蛍光体８１３Ｒ、緑色蛍光体８１３Ｇおよび青色蛍光体８１３Ｂが、上記した所定のパターンで配置されている。
【０１２４】
そして、このように構成した第１基板８０１と第２基板８０２とは、微小な間隙を存して貼り合わされている。この表示装置８００では、導電性膜（ギャップ８０８）８０７を介して、陰極である第１素子電極８０６ａまたは第２素子電極８０６ｂから飛び出す電子を、陽極であるアノード電極８０９に形成した蛍光体８１３に当てて励起発光し、カラー表示が可能となる。
【０１２５】
この場合も、他の実施形態と同様に、第１素子電極８０６ａ、第２素子電極８０６ｂ、導電性膜８０７およびアノード電極８０９を、液滴吐出装置１を用いて形成することができると共に、各色の蛍光体８１３Ｒ，８１３Ｇ，８１３Ｂを、液滴吐出装置１を用いて形成することができる。
【０１２６】
第１素子電極８０６ａ、第２素子電極８０６ｂおよび導電性膜８０７は、図２６（ａ）に示す平面形状を有しており、これらを成膜する場合には、図２６（ｂ）に示すように、予め第１素子電極８０６ａ、第２素子電極８０６ｂおよび導電性膜８０７を作り込む部分を残して、バンク部ＢＢを形成（フォトリソグラフィ法）する。次に、バンク部ＢＢにより構成された溝部分に、第１素子電極８０６ａおよび第２素子電極８０６ｂを形成（液滴吐出装置１によるインクジェット法）し、その溶剤を乾燥させて成膜を行った後、導電性膜８０７を形成（液滴吐出装置１によるインクジェット法）する。そして、導電性膜８０７を成膜後、バンク部ＢＢを取り除き（アッシング剥離処理）、上記のフォーミング処理に移行する。なお、上記の有機ＥＬ装置の場合と同様に、第１基板８０１および第２基板８０２に対する親液化処理や、バンク部８１１，ＢＢに対する撥液化処理を行うことが、好ましい。
【０１２７】
また、他の電気光学装置としては、金属配線形成、レンズ形成、レジスト形成および光拡散体形成等の装置が考えられる。上記した液滴吐出装置１を各種の電気光学装置（デバイス）の製造に用いることにより、各種の電気光学装置を効率的に製造することが可能である。
【図面の簡単な説明】
【０１２８】
【図１】本発明の実施形態に係る液滴吐出装置の描画対象となる基板の平面模式図である。
【図２】液滴吐出装置の平面模式図である。
【図３】液滴吐出装置に搭載したヘッドユニットの平面模式図である。
【図４】機能液滴吐出ヘッドをノズル面側から見た模式図である。
【図５】液滴吐出装置の制御系について説明したブロック図である。
【図６】液滴吐出装置の液滴着弾位置補正処理を示すフローチャートである。
【図７】液滴着弾位置補正処理を説明する概念図である。
【図８】液滴吐出装置の他の液滴着弾位置補正処理を示すフローチャートである。
【図９】カラーフィルタ製造工程を説明するフローチャートである。
【図１０】（ａ）〜（ｅ）は、製造工程順に示したカラーフィルタの模式断面図である。
【図１１】本発明を適用したカラーフィルタを用いた液晶装置の概略構成を示す要部断面図である。
【図１２】本発明を適用したカラーフィルタを用いた第２の例の液晶装置の概略構成を示す要部断面図である。
【図１３】本発明を適用したカラーフィルタを用いた第３の例の液晶装置の概略構成を示す要部断面図である。
【図１４】有機ＥＬ装置である表示装置の要部断面図である。
【図１５】有機ＥＬ装置である表示装置の製造工程を説明するフローチャートである。
【図１６】無機物バンク層の形成を説明する工程図である。
【図１７】有機物バンク層の形成を説明する工程図である。
【図１８】正孔注入／輸送層を形成する過程を説明する工程図である。
【図１９】正孔注入／輸送層が形成された状態を説明する工程図である。
【図２０】青色の発光層を形成する過程を説明する工程図である。
【図２１】青色の発光層が形成された状態を説明する工程図である。
【図２２】各色の発光層が形成された状態を説明する工程図である。
【図２３】陰極の形成を説明する工程図である。
【図２４】プラズマ型表示装置（ＰＤＰ装置）である表示装置の要部分解斜視図である。
【図２５】電子放出装置（ＦＥＤ装置）である表示装置の要部断面図である。
【図２６】表示装置の電子放出部廻りの平面図（ａ）およびその形成方法を示す平面図（ｂ）である。
【符号の説明】
【０１２９】
１…液滴吐出装置  ３…コントローラ  １５…ヘッドユニット  １７…機能液滴吐出ヘッド  ２１…セットテーブル  ２６…ヘッドθ軸テーブル  ５３…描画認識カメラ  １１１…ヘッドドライバ  Ｗ…基板  Ｗｃ…検査領域
【図１】
2007130571.tif 000003
【図２】
2007130571.tif 000004
【図３】
2007130571.tif 000005
【図４】
2007130571.tif 000006
【図５】
2007130571.tif 000007
【図６】
2007130571.tif 000008
【図７】
2007130571.tif 000009
【図８】
2007130571.tif 000010
【図９】
2007130571.tif 000011
【図１０】
2007130571.tif 000012
【図１１】
2007130571.tif 000013
【図１２】
2007130571.tif 000014
【図１３】
2007130571.tif 000015
【図１４】
2007130571.tif 000016
【図１５】
2007130571.tif 000017
【図１６】
2007130571.tif 000018
【図１７】
2007130571.tif 000019
【図１８】
2007130571.tif 000020
【図１９】
2007130571.tif 000021
【図２０】
2007130571.tif 000022
【図２１】
2007130571.tif 000023
【図２２】
2007130571.tif 000024
【図２３】
2007130571.tif 000025
【図２４】
2007130571.tif 000026
【図２５】
2007130571.tif 000027
【図２６】
2007130571.tif 000028